(57)【要約】      （修正有）【課題】収納用の袋等がなくてもコンパクトに折り畳まれた状態を保持することが可能な多用途防寒具を提供する。【解決手段】本多用途防寒具は、本体と、本体の周縁に取り付けられ、本体を折り畳み状態で保持できる紐とを備え、本体は、紐の取付部を覆うカバーを備える。紐は、両端に係止具を備え、紐取付具及び係止具はいずれも、本体及び紐の一方の面に設けられた雄側部と本体及び紐の他方の面に設けられた雄側部と係脱する雌側部とから形成することができる。【選択図】図１
0003172068.tif 000002
【実用新案登録請求の範囲】
【請求項１】
本体と、
前記本体の周縁に取り付けられ、前記本体を折り畳み状態で保持できる紐とを備え、
前記本体は、前記紐の取付部を覆うカバーを備える多用途防寒具。
【請求項２】
前記本体は、前記取付部に、前記紐を着脱自在に取り付けるための紐取付具を備え、
前記紐は、両端に係止具を備え、
前記紐取付具及び係止具はいずれも、前記本体及び紐の一方の面に設けられた雄側部と前記本体及び紐の他方の面に設けられた前記雄側部と係脱する雌側部とからなる請求項１に記載の多用途防寒具。
【考案の詳細な説明】
【技術分野】
【０００１】
本考案は、多用途防寒具に関するものである。
【背景技術】
【０００２】
従来、寒さを防ぐための防寒具として、膝掛け、ストール等が知られている。特許文献１では、この防寒具を、本来の膝掛け、ストールといった一用途に限らず、膝掛け、ストール、ボレロ、スカート等の多用途に使用可能な防寒具が提案されている。
【先行技術文献】
【特許文献】
【０００３】
【特許文献１】実用新案登録第３１５７５０６号
【考案の概要】
【考案が解決しようとする課題】
【０００４】
特許文献１に開示されている防寒具は、不使用時には、防寒具を折り畳んでコンパクトにすることで、保管・携帯されるが、単に折り畳んだだけでは、折り畳み状態が崩れて広がってしまう、十分コンパクトに折り畳めず携帯が不便であるという問題が生じる。よって、携帯時には、収納用の袋に入れる必要があった。
【０００５】
本考案は、上記課題を解決するためになされたものであり、収納用の袋等がなくてもコンパクトに折り畳まれた状態を保持することが可能な多用途防寒具を提供する。
【課題を解決するための手段】
【０００６】
本考案の多用途防寒具は、本体と、前記本体の周縁に取り付けられ、前記本体を折り畳み状態で保持できる紐とを備え、前記本体は、前記紐の取付部を覆うカバーを備える。
【０００７】
また、上記多用途防寒具において、本体は、取付部に、紐を着脱自在に取り付けるための紐取付具を備え、紐は、両端に係止具を備え、紐取付具及び係止具はいずれも、本体及び紐の一方の面に設けられた雄側部と本体及び紐の他方の面に設けられた雄側部と係脱する雌側部とから形成することができる。
【考案の効果】
【０００８】
本考案によれば、多用途防寒具をコンパクトに折り畳まれた状態で保持することができる。
【図面の簡単な説明】
【０００９】
【図１】本考案の多用途防寒具の一実施形態を示す表面図である。
【図２】図１の多用途防寒具の紐取付具及び係止具の表面の拡大斜視図である。
【図３】図１の多用途防寒具の紐取付具及び係止具の裏面の拡大斜視図である。
【図４】図１の多用途防寒具の膝掛けとしての使用状態を示す斜視図である。
【図５】図１の多用途防寒具のストールとしての使用状態を示す斜視図である。
【図６】図１の多用途防寒具のボレロとしての使用状態を示す斜視図である。
【図７】図１の多用途防寒具のスカートとしての使用状態を示す斜視図である。
【図８】図１の多用途防寒具の布団としての使用状態を示す表面図である。
【図９】図１の多用途防寒具の寝袋としての使用状態を示す斜視図である。
【図１０】図１の多用途防寒具の上下端を４分の１ずつ折り畳んだ状態を示す表面図である。
【図１１】図１の多用途防寒具を四つ折に折り畳んだ状態を示す表面図である。
【図１２】図１の多用途防寒具をコンパクトに折り畳んだ状態を示す斜視図である。
【図１３】図１の多用途防寒具を紐で巻き止めた状態を示す斜視図である。
【考案を実施するための形態】
【００１０】
以下、本考案の多用途防寒具の一実施形態について、添付図面を参照して説明する。図１に示すように、多用途防寒具１は、本体１０及び紐２０から構成されている。以下では、図１において視認できる側を表面とし、図１視を基準に上下左右方向を定義する。
【００１１】
本体１０は、長手方向が約１４０ｃｍ、幅方向が約６０ｃｍの平面視長方形状に形成されている。本体１０の表裏面の生地には、ポリエステル、ナイロン等の種々の素材を使用することができるが、撥水加工を施した生地を使用することが好ましい。これにより、防水性を高めることができる。また、中綿としては、ダウン、シンサレート（登録商標）等の軽くて保温性の高い素材を使用することができる。保温性に優れる中綿を使用することにより、多用途防寒具１を薄手に形成することができるため、軽量で持ち運びが楽になる。さらに、表面及び裏面共にデザイン性のある生地を使用することもでき、この場合には、多用途防寒具１をリバーシブルにすることができる。
【００１２】
本体１０の対向する一対の長辺１０ａ，１０ｂには、各長辺１０ａ，１０ｂの中央付近を除いた両端付近に、それぞれ任意個数ずつのスナップボタン１１，１２が等間隔に並んで設けられている。スナップボタン１１，１２は、互いに嵌め合わされて係脱可能であり、長辺１０ａ，１０ｂと平行な線を軸として本体１０を筒状にした際、また、短辺１０ｃ，１０ｄと平行な線を軸として本体１０を筒状にした際に、互いに嵌め合わされるように設けられている。具体的には、一方の長辺１０ａの右側及び他方の長辺１０ｂの左側には、本体１０の表面側に凸状留具を有する雄側のスナップボタン１１が設けられ、一方の長辺１０ａの左側及び他方の長辺１０ｂの右側には、本体１０の裏面側に凹状留具を有する雌側のスナップボタン１２が設けられている。
【００１３】
本体１０の対向する一対の短辺１０ｃ，１０ｄの内、一方の短辺１０ｃには、中央より上側よりに、後述する紐２０を着脱自在に取り付けるための紐取付具１３が設けられている。紐取付具１３は、本体１０の表面に設けられた雄側部と、本体１０の裏面に設けられた前記雄側部と係脱可能な雌側部とからなる。本実施形態では、図２及び図３に示すように、紐取付具１３は、一方の面に凸状留具１３ａが、他方の面に凸状留具１３ａと嵌め合わされて係脱する凹状留具１３ｂが設けられたボタン状のものである。このボタン状の紐取付具１３は、本体１０を貫通し、本体１０の表面に凸状留具１３ａが、本体１０の裏面に凹状留具１３ｂが露出している。そして、本体１０には、紐取付具１３を覆うようにカバー３０が設けられている。カバー３０は、互いに略平行な上下の２辺３０ａで本体１０に縫い付けられており、左右の端部は、本体１０との間に開口を有している。これにより、紐２０が、本体１０とカバー３０との間を貫通可能となっている。カバー３０は、本体１０の表面のみに設けてもよいし、表面及び裏面共に設けてもよい。特に、多用途防寒具１がリバーシブルである場合には、本体１０の表面及び裏面共に設けるのが好ましい。このとき、本体１０の表面に設けるカバー３０には、本体１０の表面と同様の生地を使用し、本体１０の裏面に設けるカバー３０には、本体１０の裏面と同様の生地を使用することで、紐取付具１３を隠した上で本体１０と同化して見えるため、多用途防寒具１の見栄えをよくすることができる。
【００１４】
紐２０は、折り畳んだ本体１０の周囲に巻き付けられる長さに形成され、両端に係止具２１が設けられている。図２及び図３に示すように、係止具２１は、本実施形態では、紐取付具１３と同一形状であり、紐２０の表面に凸状留具２１ａが、紐２０の裏面に凸状留具２１ａと係脱する凹状留具２１ｂが、紐２０を貫通して設けられている。そのため、紐２０の一方の端部の係止具２１の凹状留具２１ｂと本体１０の紐取付具１３の凸状留具１３ａとが嵌め合わされ、紐２０が本体１０に取り付けられる。また、折り畳んだ本体１０の周囲を紐２０で巻いた後、紐２０の一方の端部の係止具２１の凸状留具２１ａと紐２０の他方の端部の係止具２１の凹状留具２１ｂとが嵌め合わされることで、本体１０が折り畳まれた状態で紐２０によって保持される。このとき、本体１０の表面と紐２０の表面、本体１０の裏面と紐２０の裏面とを同一のデザインの生地にすると、紐２０を本体１０に巻き付けた際に同一デザインで統一され、より見栄えをよくすることができる。
【００１５】
次に、本実施形態の多用途防寒具１の用途例を説明する。
【００１６】
本実施形態の多用途防寒具１の第１の用途は、膝掛けである。膝掛けとして使用する場合、図４に示すように、両長辺１０ａ，１０ｂの略中央で多用途防寒具１を二つ折りにして、太ももから膝付近を覆うように多用途防寒具１を掛けて使用する。なお、多用途防寒具１を上記したように二つ折りにした状態で、一辺をクリップ等を使用してベビーカーに固定すると、乳幼児の布団としても使用できる。
【００１７】
本実施形態の多用途防寒具１の第２の用途は、ストールである。ストールとして使用する場合、図５に示すように、例えば、一方の長辺１０ａ側の中央付近を首に巻きながら多用途防寒具１を肩に掛けて使用する。このとき、一方の長辺１０ａに設けられたスナップボタン１１，１２を嵌め合わせることで、より保温効果を高めることができる。
【００１８】
本実施形態の多用途防寒具１の第３の用途は、ボレロである。ボレロとして使用する場合、図６に示すように、長辺１０ａ，１０ｂに平行な線を軸として多用途防寒具１を縦長の筒状にし、互いに対応する長辺１０ａのスナップボタン１１，１２と長辺１０ｂのスナップボタン１１，１２とを嵌め合わせる。そして、長辺１０ａ，１０ｂの中央付近のスナップボタン１１，１２が設けられていない部分を肩に掛け、左右の両筒状部にそれぞれ腕を通すことで、ボレロとして使用できる。
【００１９】
本実施形態の多用途防寒具１の第４の用途は、スカートである。スカートとして使用する場合、図７に示すように、例えば、一方の長辺１０ａを腰に巻き付けて使用する。このとき、使用者のウエストに合わせた任意の位置で、一方の長辺１０ａの右側に設けられたスナップボタン１１と左側に設けられたスナップボタン１２とを嵌め合わせることにより、多用途防寒具１が使用者の腰に巻き付いた状態で保持される。
【００２０】
その他、本実施形態の多用途防寒具１を複数枚使用することにより、布団又は寝袋として使用することができる。例えば、布団として使用する場合、図８に示すように、２枚の多用途防寒具１を、１枚目の下側の長辺１０ｂのスナップボタン１１，１２と２枚目の上側の長辺１０ａのスナップボタン１１，１２とを嵌め合わせ、１枚の大きな布体として使用する。また、多用途防寒具１を使用する枚数を増やし、同様に繋げていくことで、任意の大きさの布団として使用することができる。一方、寝袋として使用する場合には、図９に示すように、２枚の多用途防寒具１を、それぞれ裏面を内側にして向かい合わせ、対向する長辺１０ａ，１０ｂのスナップボタン１１，１２を嵌め合わせて筒状にして使用する。
【００２１】
次に、本実施形態の多用途防寒具１の不使用時の折り畳み方法について説明する。
【００２２】
まず、表面を外側にして、図１に示す上端及び下端から略４分の１の位置にある折畳ラインＡで、長辺１０ａ，１０ｂが本体１０の中央で向き合うように本体１０の上下端を折り畳み、図１０の状態にする。次に、図１０に示す中央の折畳ラインＢで、本体１０を半分に折り畳み、図１１の状態にする。そして、紐取付具１３の凸状留具１３ａと紐２０の一方の端部の係止具２１の凹状留具２１ｂとを嵌め合わせて、紐２０を本体１０に取り付ける。その後、図１２に示すように、本体１０を紐２０が取り付けられていない端部から巻いていき、紐２０を本体１０の周囲に巻き付ける。それから、図１３に示すように、紐２０の一方の端部の係止具２１の凸状留具２１ａと紐２０の他方の端部の係止具２１の凹状留具２１ｂとを嵌め合わせて、紐２０を本体１０に巻き止める。これにより、多用途防寒具１は、折り畳み状態に保持され、携帯が容易となる。このとき、カバー３０と本体１０との間で紐２０が止められるため、カバー３０により係止具２１が隠されるので、多用途防寒具１の見栄えをよくすることができる。
【００２３】
また、多用途防寒具１がリバーシブルである場合や、表面が汚れてしまい、その汚れを隠したい場合には、裏面を外側にして折り畳むことができる。その場合には、紐取付具１３の凹状留具１３ｂと紐２０の一方の端部の係止具２１の凸状留具２１ａとを嵌め合わせて、紐２０を本体１０に取り付ける。そして、上記のように折り畳んだ後は、紐２０の一方の端部の係止具２１の凹状留具２１ｂと紐２０の他方の端部の係止具２１の凸状留具２１ａとを嵌め合わせて、紐２０を本体１０に巻き止める。これにより、リバーシブルの多用途防寒具１においては、任意の面を表面として収納することができる。また、屋外で多用途防寒具１を使用し、表面が汚れてしまった場合でも、その表面を内側にして折り畳めるので、鞄等に入れて持ち帰る際に、鞄等が汚れるという心配がなくなる。
【００２４】
以上のように、本実施形態によれば、本体１０に着脱自在な紐２０を設け、使用時には、紐２０を取り外しておくことができるので、紐２０が邪魔になることなく、上記した膝掛け、ストール、ボレロ、スカート、布団及び寝袋等の任意の用途で使用することができる。そして、不使用時には、紐２０を本体１０に取り付けて、折り畳んだ本体１０に巻き付けることで、紐２０で本体１０を折り畳み状態で保持することができるため、コンパクトにして収納したり、持ち運んだりすることができる。また、本実施形態では、紐取付具１３及び係止具２１は、共に同一の形状であり、一方の面に凸状留具１３ａ，２１ａが、他方の面に凸状留具１３ａ，２１ａと嵌め合わされて係脱する凹状留具１３ｂ，２１ｂが設けられている。そのため、本体１０の表面にも本体１０の裏面にも紐２０を取り付けることができる。そして、紐２０の両端も、表面を外側にしても裏面を外側にしても、互いに嵌合して折り畳んだ本体１０を保持することができる。これにより、表面及び裏面の任意の面を外側にして、自由に折り畳むことができる。
【００２５】
以上、本考案の一実施形態について説明したが、本考案は、この実施形態に限定されるものではなく、その趣旨を逸脱しない限りにおいて、種々の変更が可能である。例えば、上記実施形態では、多用途防寒具１の本体１０は、長手方向は約１４０ｃｍ、幅方向は約６０ｃｍの長方形であるが、この大きさに限られず、膝掛け、ストール、ボレロ、スカート等に使用できる大きさであれば、任意の大きさにすることが可能である。また、本体１０の形状も長方形に限られず、正方形、楕円形、トラック形状等の種々の形状とすることができる。このとき、上記したようなストール、ボレロ、スカート等として使用できるように、任意の位置にスナップボタン１１，１２を設ければよく、紐取付具１３も、任意の周縁に設ければよい。
【００２６】
また、スナップボタン１１，１２は、上記実施形態と凹凸の設ける位置を逆にすることも可能であるし、表裏を逆にして設けることも可能である。さらに、スナップボタン１１，１２に代わり、面ファスナー、ボタンとボタンホールとの組合せ、フックとフック係止片との組合せ等の任意の接合手段を採用することもできる。
【００２７】
同様に、紐取付具１３及び係止具２１は、上記実施形態と表面及び裏面で凹凸を逆にして設けることも可能である。さらに、例えば、紐取付具１３及び係止具２１の凸状留具１３ａ，２１ａの代わりに面ファスナーの雄を取り付け、紐取付具１３及び係止具２１の凹状留具１３ｂ，２１ｂの代わりに面ファスナーの雌を取り付けることにより、紐取付具１３及び係止具２１を面ファスナーで代用することもできる。また、紐取付具１３及び係止具２１の一方をボタンホールとし、係止具２１の他方を表裏面共にボタンを設けることで、紐取付具１３及び係止具２１をボタンとボタンホールとの組合せで代用することもできる。さらに、多用途防寒具１をリバーシブルとして使用しない場合には、フックとフック係止片との組合せ等の任意の係止手段を採用することができるし、紐２０を本体１０に縫い付けることも可能である。また、紐２０を本体１０に縫い付けた場合には、多用途防寒具１の使用時に紐２０が自在に動くことを防止するために、紐２０を本体１０に着脱自在に固定する係止具を設けてもよい。
【００２８】
また、多用途防寒具１の折り畳み方法は、上記実施形態の折り畳み方法に限られない。例えば、紐取付具１３を短辺１０ｃの略中央に設けた場合は、本体１０を三つ折にした後、紐２０の取り付けられていない端部から本体１０を巻くことにより折り畳むことができる。また、本体１０を図１１の状態に折り畳んだ後、さらに長辺１０ａ，１０ｂの中央で二つ折りにし、その後、紐２０の取り付けられていない端部から本体１０を巻くことにより折り畳むこともできる。その他、本体１０の形状と紐２０の取り付け位置に応じて任意の折り畳み方法で多用途防寒具１を折り畳むことができる。
【符号の説明】
【００２９】
１    多用途防寒具
１０  本体
１３  紐取付具
２０  紐
２１  係止具
３０  カバー
【図１】
0003172068.tif 000003
【図２】
0003172068.tif 000004
【図３】
0003172068.tif 000005
【図４】
0003172068.tif 000006
【図５】
0003172068.tif 000007
【図６】
0003172068.tif 000008
【図７】
0003172068.tif 000009
【図８】
0003172068.tif 000010
【図９】
0003172068.tif 000011
【図１０】
0003172068.tif 000012
【図１１】
0003172068.tif 000013
【図１２】
0003172068.tif 000014
【図１３】
0003172068.tif 000015